(57)【要約】【課題】従来では、刈取部をオ−プンしたままでエンジンをかけて刈取部を回転駆動することがあり、各部の不慮の破損を招く問題があった。この発明は、刈取部がオ−プンしている時にはエンジンがかからないようにして上記問題点を解消せんとするものである。【解決手段】本発明は、刈取部を刈取作業が可能な状態位置にある刈取作業位置と刈取作業が不可能な状態位置にある非刈取作業位置とに開閉移動可能に構成して設け、前記刈取部が非刈取作業位置にある時はエンジンが始動しないように関連構成してあることを特徴とする。【選択図】　　　　図９
2004024071.tif 000002
【特許請求の範囲】
【請求項１】
刈取部を刈取作業が可能な状態位置にある刈取作業位置と刈取作業が不可能な状態位置にある非刈取作業位置とに開閉移動可能に構成して設け、前記刈取部が非刈取作業位置にある時はエンジンが始動しないように関連構成してあることを特徴とするコンバイン。
【請求項２】
刈取部を刈取作業が可能な状態位置にある刈取作業位置と刈取作業が不可能な状態位置にある非刈取作業位置とに開閉移動可能に構成して設け、前記刈取部が刈取作業位置にあってもロックされていない時にはエンジンが始動しないように関連構成してあることを特徴とするコンバイン。
【請求項３】
請求項１又は請求項２において、刈取部が非刈取作業位置であるか、又は、エンジンが始動しないものであるかをアラ−ム又は音声で報知するように構成してあることを特徴とするコンバイン。
【発明の詳細な説明】
【０００１】
【発明の属する技術分野】
本発明は、穀稈を刈り取って脱穀するコンバインに関し、農業機械の技術分野に属する。
【０００２】
【従来の技術】
従来、この種のコンバインにおいて、脱穀部の前側に設けられている刈取部は、メンテナンスの容易化を図るため、脱穀部の前側及び刈取部の下方が大きく開放されるように開閉移動可能に構成されている。
【０００３】
【発明が解決しようとする課題】
従来では、刈取部をオ−プンしたままで、つまり、閉じるのを忘れたままでエンジンをかけて刈取部を回転駆動したり、また、刈取部を閉じた状態に戻してあってもロックするのを忘れたままでエンジンをかけて刈取部を回転駆動することがあり、各部の不慮の破損を招く問題があった。
【０００４】
【課題を解決するための手段】
本発明は、上述した課題を解決するために、次の如き技術手段を講じた。すなわち、請求項１記載の本発明は、刈取部を刈取作業が可能な状態位置にある刈取作業位置と刈取作業が不可能な状態位置にある非刈取作業位置とに開閉移動可能に構成して設け、前記刈取部が非刈取作業位置にある時はエンジンが始動しないように関連構成してあることを特徴とする。
【０００５】
刈取部の開閉移動操作にあたり、刈取部が所定以上オ−プンする方向に移動すると、カム機構などによってリミットスイッチを作動させるようにして、エンジンの始動回路をＯＦＦにする。従って、刈取部がオ−プンした状態にある時には、エンジンを始動しようとしてもセルが回らないことになる。よって、刈取部を回すことによる各部の破損を未然に防止することができる。
【０００６】
請求項２記載の本発明は、刈取部を刈取作業が可能な状態位置にある刈取作業位置と刈取作業が不可能な状態位置にある非刈取作業位置とに開閉移動可能に構成して設け、前記刈取部が刈取作業位置にあってもロックされていない時にはエンジンが始動しないように関連構成してあることを特徴としている。
【０００７】
刈取部をオ−プンした状態から元位置の刈取作業位置に戻してあっても、これがロック機構によってロックされていない時には、エンジンの始動回路はＯＦＦ状態にあり、そして、刈取部がロック機構によってロック操作されると、このロック操作に起因してエンジンの始動回路がＯＮ状態につながり、エンジンキ−スイッチの操作でエンジンがかかる状態となる。従って、刈取部が完全にロックされていない時にはエンジンはかからないため、刈取部の回転による各部の破損を未然に防止することができる。
【０００８】
請求項３記載の本発明は、前記請求項１又は請求項２の発明において、刈取部が非刈取作業位置であるか、又は、エンジンが始動しないものであるかをアラ−ム又は音声で報知するように構成してあることを特徴としている。
刈取部が刈取作業位置にあって完全ロック状態にセットされていない時には、モニタによって警報が発信される。又は、音声によって報知されることになる。従って、刈取部が非刈取作業位置にあるか、また、刈取作業位置にあっても完全ロック状態にあるかを容易に認識することができ、刈取部の不完全セット状態での回転による各部の破損を未然に防止することができる。
【０００９】
【発明の効果】
請求項１の発明によれば、刈取部を非刈取作業位置にオ−プンしている状態の時には、エンジンがかからないように構成してあるので、刈取部を不用意に回すことによって各部の破損を未然に防止することができる。
【００１０】
請求項２の発明によれば、刈取部が刈取作業位置にあっても完全ロック状態にセットされていない時には、エンジンがかからないようにしてあるので、刈取部を不用意に回すことによって各部の破損を未然に防止することができる。
請求項３の発明によれば、刈取部が非刈取作業位置にあるか、又は、エンジンが始動しないものであるかをアラ−ム又は音声で報知するようにしてあるので、刈取部が非刈取作業位置にあるか、刈取部が刈取作業位置にあっても完全ロック状態にあるか、また、エンジンが始動しないものであるかを容易に認識することができ、刈取部を不用意に回すことによって各部の破損を未然に防止することができる。
【００１１】
【発明の実施の形態】
以下、本発明の実施例を図面に基づいて具体的に説明する。
まず、図１〜図４に示すコンバインの全体構成について述べる。
走行車体１は、接地部側に走行クロ−ラ２、２を有し、上部には脱穀装置３を搭載している。そして、走行車体１の前方には、穀稈を引起し刈取って前記脱穀装置３に搬送供給する刈取部４を昇降可能に装備している。この刈取部４は、車体１に対し横方向に架設された刈取入力プ−リ５の有する刈取入力軸６を支点として上下回動する刈取支持フレ−ム７によって支持され、油圧により伸縮する刈取昇降シリンダ−８によって昇降する構成としている。なお、刈取部４は、圃場の立毛穀稈を引き起す引起し装置４ａと、引起し後の穀稈を刈り取る刈取装置４ｂと、刈取後の穀稈を揚上搬送して脱穀装置３に受渡し供給する搬送装置４ｃ等からなる。
【００１２】
パワステレバ−９は、前後揺動操作により刈取部４を昇降制御する構成であり、左右方向の揺動操作で機体の進行方向を操向制御する構成である。
運転部１０は、ステップフロアの前端部から立設するフロント操作ボックス１１や、ステップフロアの後端部から上方に立設の支持部材上に装置した運転席１２、この運転席１２の左横側部に設置されたサイド操作ボックス１３等からなる。
【００１３】
前記運転席１２の下方にはエンジン１４が搭載され、該エンジン１４からエンジンプ−リ１５、ＨＳＴ入力プ−リ１６を介して油圧無段変速装置（ＨＳＴ）１７を駆動し、且つ、走行ミッションケ−ス１８内のミッション装置を介して前記走行クロ−ラ２、２が駆動される構成である。
【００１４】
ＨＳＴレバ−１９は、前後方向の揺動操作によりＨＳＴを駆動し機体の前進及び後進制御を司どる構成である。運転部１０の後方で脱穀装置３の横側部にはグレンタンク２０が搭載されている。２１は穀粒排出オ−ガである。
走行ミッションケ−ス１８内から刈取出力軸２２が突設され、この刈取出力軸２２の刈取出力プ−リ２３と前記刈取入力プ−リ５との間にベルト２４を掛け渡して前記刈取部４へ回転動力を伝達する構成としている。２５はテンションプ−リで、テンションレバ−２６の操作でテンションア−ム２７を介して前記ベルト２４を緊張させたり、弛緩させたりするように連動構成している。
【００１５】
そして、前記刈取部４は、走行フレ−ム２８と、このフレ−ム２８から上方に突設した支柱２９に固着の支持板３０，３０との間において上下方向軸芯回りに回動自在に架設した回動支持パイプ３２を回動中心として揺動開閉するように構成されている。なお、前記走行ミッションケ−ス１８の下部側は、前記走行フレ−ム２８に連結具３１を介して連結保持されている。
【００１６】
回動支持パイプ３２には、刈取入力軸６を軸受保持する軸受部材３３を支持した支持ア−ム３４が一体的に固着支持されている。また、支持ア−ム３４には、ミッションケ−ス１８の上部に着脱自在に装着支持するための取付ヒッチ３５と、位置決めガイド穴３６及び位置決め調整ボルト３７を有する位置決め規制板３８が一体的に設けられている。ミッションケ−ス１８側の側面部には位置決め規制板３８を位置決め案内するための先端にテ−パ−部３９ａを形成した位置決めピン３９が突設されている。
【００１７】
また、前記取付ヒチ３５側には、取付ボルト４０の挿通孔４１，４１が設けられ、ミッションケ−ス１８の上面には該取付ボルト４０を捩じ込む螺子孔４２，４２が設けられている。
従って、取付ヒッチ３５をミッションケ−ス１８の上面に装着する際には、位置決め規制板３８をこの位置決めガイド穴３６を介して位置決めピン３９に沿って誘導案内しながら取付ヒッチ３５をミッションケ−ス１８上面の取付位置対応部に位置させ、取付ボルト４０，４０により締付固定する。なお、かかる実施例ではボルトによる着脱構成であるが、ワンタッチで着脱できるように構成しておくと便利である。
【００１８】
刈取部４をオ−プンする時には、テンションを弛めてベルト２４を外し、締付ボルト４０を弛めてミッションケ−ス１８に対する取付ヒッチ３５の固定状態を解除する。そして、刈取部４を回動支持パイプ３２を回動中心として揺動開放すればよい。なお、刈取部を揺動開閉する時、刈取昇降シリンダ−８は刈取支持フレ−ム７と回動支持パイプ３２との間に連結しているので、これをいちいち取り外す必要がない。
【００１９】
前記回動支持パイプ３２には、これと一体的に回動するカム４３を設け、このカム４３の対応部には刈取部の所定以上のオ−プン状態を検出するリミットスイッチ４４を設ける。このリミットスイッチ４４はミッションケ−ス１８側から突設したステ−４５に装着している。そして、このリミットスイッチ４４をエンジンの始動回路中に組み込むようにし（図１２参照）、これが刈取部の所定以上のオ−プン状態を検出すると、エンジンの始動回路がＯＦＦとなり、キ−スイッチの操作でエンジンを始動しようとしてもセルが回らないようになっている。
【００２０】
また、刈取部をオ−プンした状態から元位置の刈取作業位置に戻してあっても、これがロック機構によってロックされていない時には、エンジンの始動回路はＯＦＦ状態となり、そして、刈取部がロック機構によってロック操作されると、このロック操作に起因してエンジンの始動回路がＯＮ状態となるよう関連構成することができる。これは刈取部がオ−プンしている時と、刈取部が所定位置でロックされていない時の二重の安全装置として役立つことになる。
【００２１】
更に、この安全装置として、刈取部が非刈取作業位置にあるか、又は、エンジンが始動しないものであるかをアラ−ム又は音声で報知するように構成しておくとよい。
刈取部４は、本機に対して図８に示すような刈取部オ−プン状態で簡単に着脱することができる。刈取部を本機に装着する場合、サイド操作ボックス１３と刈取部４との隙間が狭いため取付作業が困難であり、穂先搬送ラグがサイド操作ボックス１３の下方に入り込んでいるため、刈取部を上方から下方に向けて嵌合装着することができない。本発明によれば、刈取部オ−プン状態で刈取部を装着できるため、サイド操作ボックスとの隙間が大きく開放された状態となるので、作業がやり易く組立ても容易にできる。
【００２２】
前記走行ミッションケ−ス１８は、その下部側が走行フレ−ム２８に連結具３１を介して連結保持され、上部側が支柱２９、支持板３０、回動支持パイプ３２、支持ア−ム３４、取付ヒッチ３５等からなる刈取部開閉支持機構を介して連結保持されることになるので、機体に対し強固に安定よく確実に保持することができる。
【００２３】
図１３及び図１４に示す別実施例について説明する。
フロント操作ボックス１１において、操作前フレ−ム５０と操作後フレ−ム５１との間の空間内にパワステリリ−フバルブ５２及びパワステレバ−９を装着し、パワステレバ−９に設けた刈取上下ア−ム５３を操作前フレ−ム５０より前方に突出させ、操作前フレ−ム５０の前面に沿わせて前記刈取上下ア−ム５３に連結する刈取上下ワイヤ−５４を配索すると共に、その前側をフロントカバ−５５にて被覆した構成としている。
【００２４】
従来は、刈取上下ア−ムを上下回動させるア−ム軸を操作ボックス横側方の刈取部まで延出し、上下に往復動するロッドによってコントロ−ルバルブを作動させる構成であった。これらの作動機構が刈取部側にあるため、狭い空間内で作業しなければならず、メンテナンスが困難であった。本実施例による場合は刈取上下ワイヤ−を操作前フレ−ムの前側に配索したので、フロントカバ−を外すことによってメンテナンスが簡単にできる。
【００２５】
なお、操作後フレ−ム５１には、運転席１２に着座するオペレ−タの両足部を入り込ませる凹入部５６が形成されている。
【図面の簡単な説明】
【図１】本発明の実施例であって、コンバインの右側面図である。
【図２】本発明の実施例であって、コンバインの左側面図である。
【図３】本発明の実施例であって、コンバインの斜視図である。
【図４】本発明の実施例であって、コンバインの刈取部をオ−プンした状態の斜視図である。
【図５】本発明の実施例であって、コンバイン要部の側面図である。
【図６】本発明の実施例であって、同上要部の正面図である。
【図７】本発明の実施例であって、コンバイン要部の平面図である。
【図８】本発明の実施例であって、同上要部の刈取部をオ−プンした状態の平面図である。
【図９】本発明の実施例であって、コンバイン要部の斜視図である。
【図１０】本発明の実施例であって、同上要部の斜視図である。
【図１１】本発明の実施例であって、同上要部の斜視図である。
【図１２】本発明の実施例であって、エンジン始動配線回路の展開図である。
【図１３】本発明の別実施例であって、フロント操作ボックスの切断側面図である。
【図１４】本発明の別実施例であって、同上要部の正面図である。
【符号の説明】
１　　走行車体　　　　　　　　　　２　　走行クロ−ラ
３　　脱穀装置　　　　　　　　　　４　　刈取部
５　　刈取入力プ−リ　　　　　　　６　　刈取入力軸
７　　刈取支持フレ−ム　　　　　　８　　刈取昇降シリンダ
９　　パワステレバ−　　　　　　１４　　エンジン
１８　　走行ミッションケ−ス　　　１９　　ＨＳＴレバ−
２８　　走行フレ−ム　　　　　　　２９　　支柱
３０　　支持板　　　　　　　　　　３１　　支軸
３２　　回動支持パイプ　　　　　　３４　　支持ア−ム
３５　　取付ヒッチ　　　　　　　　３６　　位置決めガイド穴
３７　　調整ボルト　　　　　　　　３８　　位置決め規制板
３９　　位置決めピン　　　　　　　４０　　取付ボルト
４１　　挿通孔　　　　　　　　　　４２　　螺子孔
４３　　カム　　　　　　　　　　　４４　　リミットスイッチ
【図１】
2004024071.tif 000003
【図２】
2004024071.tif 000004
【図３】
2004024071.tif 000005
【図４】
2004024071.tif 000006
【図５】
2004024071.tif 000007
【図６】
2004024071.tif 000008
【図７】
2004024071.tif 000009
【図８】
2004024071.tif 000010
【図９】
2004024071.tif 000011
【図１０】
2004024071.tif 000012
【図１１】
2004024071.tif 000013
【図１２】
2004024071.tif 000014
【図１３】
2004024071.tif 000015
【図１４】
2004024071.tif 000016